(57)【要約】【課題】個人においても団体においてもその社会貢献活動の評価のしやすい電子空間上で第三者に理解しやすいように表示を行うとともに、そこでの評価が更なる社会貢献活動に連結する社会貢献度表示システム並びに社会貢献度表示方法を提供する。【解決手段】個人又は団体の数値化された社会貢献度を電子空間上で表現する社会貢献度表示システムにおいて、数値化された社会貢献度を記憶装置に格納する社会貢献度格納手段と、数値化された社会貢献度を画像データに変換する社会貢献度数値表現手段と、社会貢献度を数値化された個人又は団体の電子空間上の表示情報への接続回数を計数する接続回数計数手段と、前記画像データを含めた社会貢貢献度の電子空間上の表示情報を表示する表示手段と、前記寄付金額に相当する資金を寄付対象に電子的に送信または送金指示情報を送信する寄付金出金管理手段とを備える社会貢献度表示サーバとを備える。【選択図】図１
2009093566.tif 000002
【特許請求の範囲】
【請求項１】
個人又は団体の数値化された社会貢献度を電子空間上で表現する社会貢献度表示システムにおいて、
数値化された社会貢献度を記憶装置に格納する社会貢献度格納手段と、
数値化された社会貢献度を画像データに変換する社会貢献度数値表現手段と、
社会貢献度を数値化された個人又は団体の電子空間上の表示情報への接続回数を計数する接続回数計数手段と、
前記画像データを含めた社会貢貢献度の電子空間上の表示情報を表示する表示手段と、
前記寄付金額に相当する資金を寄付対象に電子的に送信または送金指示情報を送信する寄付金出金管理手段とを備える社会貢献度表示サーバと、
前記社会貢献度表示サーバとネットワーク経由で結合される個人又は団体の電子空間上の表示情報手段とを備える社会貢献度表示システム。
【請求項２】
さらに、前記接続回数から寄付金額を算出する寄付金額算出手段を備えることを特徴とする請求項１記載の社会貢献度表示システム。
【請求項３】
前記社会貢献度表示サーバは、ネットワーク経由で資金を受領したことを送信する機能を有する店舗端末と、
前記店舗端末からの受領信号と対応するＩＤ番号情報を格納して外部からの電子的照会にネットワーク経由で対応する決済サーバと接続されるとともに、
前記社会貢献度表示サーバは決済サーバの前記受領信号と前記ＩＤ番号情報を格納する決済情報受信手段を備えることを特徴とする請求項１記載の社会貢献度表示システム。
【請求項４】
個人又は団体の数値化された社会貢献度を電子空間上で表現する社会貢献度表示方法において、
社会貢献度格納手段は、数値化された社会貢献度を記憶装置に格納する工程と、
社会貢献度数値表現手段は、数値化された社会貢献度を画像データに変換する工程と、
接続回数計数手段は、社会貢献度を数値化された個人又は団体の電子空間上の表示情報への接続回数を計数する工程と、
表示手段は、前記画像データを含めた社会貢貢献度の電子空間上の表示情報を表示する工程と、
寄付金出金管理手段は、前記寄付金額に相当する資金を寄付対象に電子的に送信または送金指示情報を送信する工程とを備える社会貢献度表示方法。
【請求項５】
さらに、寄付金額算出手段は、前記接続回数から寄付金額を算出する工程と、を備えることを特徴とする請求項４記載の社会貢献度表示方法。
【請求項６】
店舗端末は、ネットワーク経由で資金を受領したことを送信する工程と、
決済サーバは、前記店舗端末からの受領信号と対応するＩＤ番号情報を格納して外部からの電子的照会にネットワーク経由で対応すると接続されるとともに、
前記社会貢献度表示サーバは決済サーバの前記受領信号と前記ＩＤ番号情報を格納する決済情報受信手段を備えることを特徴とする請求項４記載の社会貢献度表示システム。
【発明の詳細な説明】
【技術分野】
【０００１】
本発明は、社会貢献度表示システム並びに社会貢献度表示方法に関し、特に社会貢献度を電子空間上で第三者に理解しやすいように表示するとともにさらなる社会貢献を行うことのできる社会貢献度表示システム並びに社会貢献度表示方法に関する。
【背景技術】
【０００２】
持続可能な社会を目指すためには、行政、民間、非営利団体のみならず、企業も経済だけでなく社会や環境などの要素にも責任を持つべきであるという考え方であるＣＳＲ（Ｃｏｒｐｏｒａｔｅ  Ｓｏｃｉａｌ  Ｒｅｓｐｏｎｓｉｂｉｌｉｔｙ：シーエスアール）企業の社会的責任が叫ばれて久しい。
【０００３】
しかし、企業や政府また地方自治体さらにはＮＧＯ（Ｎｏｎ−Ｇｏｖｅｒｎｍｅｎｔａｌ  Ｏｒｇａｎｉｚａｔｉｏｎｓ：エヌジーオー：非政府組織）また、ＮＰＯ（Ｎｏｔ−ｆｏｒ−Ｐｒｏｆｉｔ  Ｏｒｇａｎｉｚａｔｉｏｎ：エヌピーオー：非営利団体）が、その社会的貢献について十分にアピールできる場は極めて少なかった。
【０００４】
一方で、これらの社会貢献活動の一つである募金や寄付についても、寄付する側と寄付される側のマッチングが最適になされているわけでもない。
【０００５】
そこで、既にインターネット上のサイトを活用して寄付行為を行う発明も複数件提案されている（特許文献１、特許文献２、特許文献３、特許文献４）。いずれも、サーバにバナー等の広告を掲載し、その接続回数に応じて募金を広告主より受け取る手法が用いられている。
【０００６】
【特許文献１】特開２００１−２８３０８２号公報
【特許文献２】特開２００１−３０６９３９号公報
【特許文献３】特開２００２−２４７１２号公報
【特許文献４】特開２００３−２８８５３１号公報
【発明の開示】
【発明が解決しようとする課題】
【０００７】
しかし、従来の手法では、第一に社会貢献活動を評価する手法が明確ではなかった。このため、社会貢献活動の評価については、社会貢献活動を行った当事者が自ら総括して評価する他無いという課題が生じていた。
【０００８】
また、従来の広告へのアクセス数に応じて募金を集める場合、アクセス数の多寡は、広告主の社会貢献に対する評価が影響するよりも、広告であるバナーの出来栄えや、広告主のサイトの評価が主であり、広告主の社会貢献活動に対する取り組みや姿勢に対するものではなかった。
【０００９】
そこで、本発明の目的は、個人においても団体においてもその社会貢献活動の評価のしやすい電子空間上で第三者に理解しやすいように表示を行うとともに、そこでの評価が更なる社会貢献活動に連結する社会貢献度表示システム並びに社会貢献度表示方法を提供することにある。
【課題を解決するための手段】
【００１０】
上記の目的を達成するために本発明に係る社会貢献度表示システムは、個人又は団体の数値化された社会貢献度を電子空間上で表現する社会貢献度表示システムにおいて、数値化された社会貢献度を記憶装置に格納する社会貢献度格納手段と、数値化された社会貢献度を画像データに変換する社会貢献度数値表現手段と、社会貢献度を数値化された個人又は団体の電子空間上の表示情報への接続回数を計数する接続回数計数手段と、前記画像データを含めた社会貢貢献度の電子空間上の表示情報を表示する表示手段と、前記寄付金額に相当する資金を寄付対象に電子的に送信または送金指示情報を送信する寄付金出金管理手段とを備える社会貢献度表示サーバと、前記社会貢献度表示サーバとネットワーク経由で結合される個人又は団体の電子空間上の表示情報手段とを備える。
【００１１】
なお、ここで表示手段とは、ウェブページの表示手段を想定しているが、例えば３次元空間における仮想空間での表現形式における電子的なサイト、例えばリンデンドル社（商標）におけるセカンドライフ（商標）上での「シム」のような空間やオブジェクト等の表現形式における表示手段も含んでいることは言うまでもない。
【００１２】
さらに、前記接続回数から寄付金額を算出する寄付金額算出手段を備えてもよい。
【００１３】
また、前記社会貢献度表示サーバは、ネットワーク経由で資金を受領したことを送信する機能を有する店舗端末と、前記店舗端末からの受領信号と対応するＩＤ番号情報を格納して外部からの電子的照会にネットワーク経由で対応する決済サーバと接続されるとともに、前記社会貢献度表示サーバは決済サーバの前記受領信号と前記ＩＤ番号情報を格納する決済情報受信手段を備えることもできる。
【００１４】
本発明に係る社会貢献度表示方法は、個人又は団体の数値化された社会貢献度を電子空間上で表現する社会貢献度表示方法において、社会貢献度格納手段は、数値化された社会貢献度を記憶装置に格納する工程と、社会貢献度数値表現手段は、数値化された社会貢献度を画像データに変換する工程と、接続回数計数手段は、社会貢献度を数値化された個人又は団体の電子空間上の表示情報への接続回数を計数する工程と、表示手段は、前記画像データを含めた社会貢貢献度の電子空間上の表示情報を表示する工程と、寄付金出金管理手段は、前記寄付金額に相当する資金を寄付対象に電子的に送信または送金指示情報を送信する工程とを備える。
【００１５】
さらに、寄付金額算出手段は、前記接続回数から寄付金額を算出する工程と、を備えてもよい。
【００１６】
店舗端末は、ネットワーク経由で資金を受領したことを送信する工程と、決済サーバは、前記店舗端末からの受領信号と対応するＩＤ番号情報を格納して外部からの電子的照会にネットワーク経由で対応すると接続されるとともに、前記社会貢献度表示サーバは決済サーバの前記受領信号と前記ＩＤ番号情報を格納する決済情報受信手段を備えることもできる。
【発明の効果】
【００１７】
本発明に係る社会貢献度表示システム並びに社会貢献度表示方法を実施することで、個人においても団体においてもその社会貢献活動の評価のしやすい電子空間上で第三者に理解しやすいように表示が可能となるという効果を有する。
【００１８】
また、本発明による社会貢献度表示システムの評価が更なる社会貢献活動に連結するという効果を有する。
【発明を実施するための最良の形態】
【００１９】
以下に、この発明の実施形態例を、図面を用いて説明する。
【実施例１】
【００２０】
図１は、本発明に係る社会貢献度表示システム２の第一の実施例におけるブロックダイヤグラムを示す。
【００２１】
社会貢献度表示システム２は、個人又は団体の数値化された社会貢献度を電子空間上で表示するシステムであり、数値化された社会貢献度を記憶装置に格納する社会貢献度格納手段１６と、数値化された社会貢献度を画像データに変換する社会貢献度数値表現手段１８と、社会貢献度を数値化された個人又は団体の電子空間上の表示情報への接続回数を計数する接続回数計数手段（アクセスカウンタ）２０と、前記画像データを含めた社会貢貢献度の電子空間上の表示情報を表示する表示手段２２と、前記接続回数から寄付金額を算出する寄付金額算出手段２４と、前記寄付金額に相当する資金を寄付対象に電子的に送信または送金指示情報を送信する寄付金出金管理手段２６とを備える社会貢献度表示サーバ４と、前記社会貢献度表示サーバ２とネットワーク６経由で結合される個人又は団体の電子空間上の表示情報手段（団体ウェブサーバ）１０と、個人端末８と、団体端末１２と、被貢献者端末１４とからなる。
【００２２】
社会貢献度表示サーバ４は、例えばＯＳ（オペレーティング・システム）、ＷＷＷサーバソフトウェア及び管理プログラムから構成されており、以下の機能を備えている。また、社会貢献度表示サーバ４は、記憶装置２８と接続されて複数種類のデータを記録と抹消自在に多数個格納している。
【００２３】
（１）社会貢献度格納機能
社会貢献度格納手段１６が有する社会貢献度格納機能は、数値化された社会貢献度を記憶装置に格納する機能であるが、具体的には企業または個人の名称、所在地情報の他にこれらの企業等による社会貢献活動を数値化したものであり、福祉施設や教育機関や被災地や戦災地さらに開発地周辺に対する寄付金額や、またボランティア活動の種類数や参加回数、さらに参加人数、削減したエネルギー消費量、削減した有害物質の排出量、植林した本数、植林面積、送付した救援物資量などの数値化データを企業毎に記憶装置２８に格納する。付随して数値化されないテキスト情報もまた記録する。また、これらの外部から入力される数値化データの他にウェブページ上にリンク情報をともなった団体毎のバナー情報が表示され、そのバナーに対するアクセス数がアクセスカウンタ２０によって計数され、その計数値もまた社会貢献度格納手段１６によって記憶装置２８に格納される。
【００２４】
この時、より数値の格納を確実とするために、ウェブページで構成する場合は、予め具体的な項目名を列挙し、その項目に対応した入力ブランクを設け、その入力ブランクに各数値化データが入力されるように構成されることが望ましい。
【００２５】
（２）社会貢献度数値表現機能
社会貢献度数値表現手段１８が有する社会貢献度数値表現機能は、社会貢献度格納手段１６の格納した数値化データを、棒グラフ、円グラフ、イラストを用いた棒グラフで表示するための画像、映像データの生成機能である。さらに、各団体は、ウェブ上でリンク情報と一体化されたバナーデータを有しており、各数値化データ毎に数値化データの大きい順にバナーデータが順位表示される。ここで、アクセスカウンタ２０からの計数値が更新された場合は、その計数値の集計によってバナーデータの順位表示を変更する。また、各数値によっては具体的数値を掲載することもできる。
【００２６】
具体的には、植林の例であれば、植林に寄付した場合に、仮想上の山を設けて、その上に寄付した額に相当する植林した樹木の絵を記載する形で寄付額を表示しても良い。
【００２７】
（３）接続回数計数機能
接続回数計数手段（アクセスカウンタ）２０の有する接続回数計数機能は、前記団体のバナーデータであって、社会貢献度表示サーバ４に掲載するバナーをクリックして、前記団体のウェブサーバ１０にアクセスされた数を計数してアクセス数の数値データを記憶装置２８に格納する。
【００２８】
（４）表示機能
表示手段２２の有する表示機能は、社会貢献度表示ウェブページを表示させる機能であり、ＨＴＴＰに則り、クライアントソフトウェアのウェブブラウザに対して、ＨＴＭＬやオブジェクト（画像など）の表示を提供する機能を有する。特にオブジェクトとして、各団体のバナーデータの表示と、社会貢献度数値表現手段１８による画像データを表示する機能を有する。
【００２９】
（５）寄付金額算出機能
寄付金額算出手段２４の有する寄付金額算出機能は、前記アクセス数に一アクセス当りの予め定めた単価を積算して団体毎に算出して、算出された数値データを記憶装置２８に格納する。
【００３０】
（６）寄付金出金管理機能
寄付金出金管理手段２６の有する寄付金出金管理機能は、寄付金額算出機能により算出された寄付金額を団体の端末または団体ウェブサーバ１０に請求通知を送信する機能あるいは、請求した寄付金額の入金を確認する機能を有する。その後、社会貢献団体の要望により福祉施設や教育機関や被災地や戦災地さらに開発地周辺に寄付行為を行うとともに、被貢献団体の端末である被貢献者端末１４に寄付する旨を送信する。
【００３１】
ネットワーク６は、コンピュータネットワークであり、専用回線やインターネットおよび公衆電話網やＩＳＤＮ（Ｉｎｔｅｇｒａｔｅｄ  Ｓｅｒｖｉｃｅｓ  Ｄｉｇｉｔａｌ  Ｎｅｔｗｏｒｋ，総合ディジタル通信網サービス）またはＮＧＮ（Ｎｅｘｔ  Ｇｅｎｅｒａｔｉｏｎ  Ｎｅｔｗｏｒｋ，次世代ネットワーク）から構成される。
【００３２】
個人端末８は、一般ユーザ使用する端末であって、ＩＢＭ（商標）ＰＣ／ＡＴ互換機または携帯端末または携帯電話等のインターネットに接続ができる端末であればいかなる端末でも良い。
【００３３】
団体ウェブサーバ１０は、団体によって管理されてＨＴＴＰに則り、クライアントソフトウェアのウェブブラウザに対して、ＨＴＭＬやオブジェクト（画像など）の表示を提供する機能を有し、団体の紹介を行うサーバである。
【００３４】
団体端末１２は、団体ユーザが使用する端末であって、ＩＢＭ（商標）ＰＣ／ＡＴ互換機または携帯端末または携帯電話等のインターネットに接続ができる端末であればいかなる端末でも良い。
【００３５】
被貢献者端末１４は、福祉施設や教育機関や被災地や戦災地さらに開発地周辺やボランティア団体やＮＰＯ，ＮＧＯの端末であり、ＩＢＭ（商標）ＰＣ／ＡＴ互換機または携帯端末または携帯電話等のインターネットに接続ができる端末であればいかなる端末でも良い。
【００３６】
記憶装置２８は、社会貢献度表示サーバ４の記憶装置であり大容量のＨＤＤ（ＨＡＲＤ  ＤＩＳＫ  ＤＲＩＶＥ：エイチ・ディー・ディー）であることが望ましい。
【００３７】
次に、図２を用いて本発明に係る社会貢献度表示システム２による社会貢献度表示方法のフローチャートについて説明する。
【００３８】
第一工程は、本発明に係る表示手段２２が制御するウェブページに、団体端末１２より社会貢献度を掲載する社会貢献団体の名称、リンク情報、バナーデータを登録して、記憶装置２８に格納する（ＳＡ２）。
【００３９】
第二工程は、表示手段２２が社会貢献団体のバナーデータを社会貢献度表示ウェブページに表示させる工程である（ＳＡ４）。社会貢献団体のバナーデータは、複数のバナーデータが掲載される場合にアクセス数の多いバナーデータが他のバナーデータよりウェブページの上の位置に配置され、アクセス数の少ないバナーデータが他のバナーデータよりウェブページの下の位置となるように配置される。
【００４０】
第三工程は、社会貢献度格納手段１６が団体端末１２から社会貢献度数値を入力し、社会貢献度格納手段１６が入力した社会貢献度数値データを記憶装置２８に格納する（ＳＡ６）。
【００４１】
第四工程は、社会貢献度数値表現手段１８が入力された社会貢献度数値データから、棒グラフ、円グラフ、イラストを用いた棒グラフで表示するための画像、映像データの生成工程である（ＳＡ８）。この映像データの例として、社会貢献対象の映像データを表示することもできる。例えば、東北の白神山地に植林する事業への貢献活動であれば、寄付金によって植林された現地をウェブカメラで定点観測として撮影し、貢献者のみが閲覧できるように、ウェブカメラの配置やソフトウェアの構成を行うこともできる。
【００４２】
第五工程は、表示手段２２が第四工程で生成された画像、映像データを社会貢献度表示ウェブページに表示させる工程である（ＳＡ１０）。
【００４３】
第六工程は、以上の表示が完了し、個人端末８からの第三者のアクセスを待って、アクセスカウンタ２０が社会貢献団体のバナーデータへのアクセスを検出して前記団体のウェブサーバ１０にアクセスされた数を計数してアクセス数が変化したか否かを判定する。
【００４４】
第七工程は、バナーデータへのアクセス数が変化しなかった場合は、変化するまでアクセス数を検出し続ける（Ｎｏ）。
【００４５】
一方、第八工程は、バナーデータへのアクセス数が変化した場合に、社会貢献度格納手段１６によって社会貢献度数値の一つであるアクセス数を変更して記憶装置２８に格納する（ＳＡ１４）。
【００４６】
第九工程は、社会貢献度数値表現手段１８が社会貢献度表示ウェブページに掲載される社会貢献団体のバナーデータについてアクセス数が変化した社会貢献団体のバナーデータについてその上段に存在するバナーデータのアクセス数と比較する（ＳＡ１６）。
【００４７】
第十工程として上段のバナーデータのアクセス数を上回る場合は、上段のバナーデータのさらに上段にアクセス数が変化したバナーデータを表示させるように社会貢献度表示ウェブページを書き改める（ＳＡ１８）。
【００４８】
上段のバナーデータのアクセス数を上回らない場合は、第十一工程へ進む。
【００４９】
第十一工程は、寄付金額算出手段２４がアクセス数とアクセス１回当りの寄付金額とを積算して寄付金額を算出する（ＳＡ２０）。
【００５０】
第十二工程は、第十一工程により算出された寄付金額を寄付金出金管理手段２６が団体の端末または団体ウェブサーバ１０に請求通知の送信を行う。または、請求した寄付金額の入金を確認する。その後、社会貢献団体の要望により福祉施設や教育機関や被災地や戦災地さらに開発地周辺に寄付行為を行うとともに、被貢献団体の端末である被貢献者端末１４に寄付する旨を送信する（ＳＡ２２）。
【００５１】
以上のように実行することで、社会貢献団体は、自らの社会貢献度を積極的に外部にアピールすることが可能になるとともに、自らのバナーにアクセス数を増加させることが可能となり、さらには、アクセス数に応じて寄付行為を行うため、更なる社会貢献を図ることができる。
【００５２】
なお、第二工程において、社会貢献団体のバナーデータは、複数のバナーデータが掲載される場合にアクセス数の多いバナーデータが他のバナーデータよりウェブページの上の位置に配置され、アクセス数の少ないバナーデータが他のバナーデータよりウェブページの下の位置となるように配置されると規定したが、この規定に制限されるものではなく、例えば、アクセス数の多いバナーデータを手前に表示させ、アクセス数の少ないバナーデータを閲覧者より遠く又はバナーサイズを小さくしたり、アクセス数の多いバナーデータの透過度を０とし、アクセス数の低いバナーデータの透過度を高くするなど、印象の度合いを小さいように表示させてもよい。
【実施例２】
【００５３】
本発明に係る社会貢献度表示システム４０の第二の実施例におけるブロックダイヤグラムを図３に示す。第二の実施例は、決済方法に特徴を有する寄付に関するシステムである。
【００５４】
社会貢献度表示システム４０は、個人又は団体の数値化された社会貢献度を電子空間上で表示するシステムであり、数値化された社会貢献度を記憶装置に格納する社会貢献度格納手段６２と、数値化された社会貢献度を画像データに変換する社会貢献度数値表現手段６４と、前記画像データを含めた社会貢貢献度の電子空間上の表示情報を表示する表示手段６８と、前記寄付金額に相当する資金を寄付対象に電子的に送信または送金指示情報を送信する寄付金出金管理手段７２と、決済サーバの前記受領信号と前記ＩＤ番号情報を格納する決済情報受信手段７４とを備える社会貢献度表示サーバ４２と、前記社会貢献度表示サーバ４２とネットワーク４８経由で結合される一般端末５０と、ネットワーク経由で資金を受領したことを送信する機能を有する店舗端末５８と、前記店舗端末からの受領信号と対応するＩＤ番号情報を格納して外部からの電子的照会にネットワーク経由で対応する決済サーバ６０と、被貢献者端末５６とからなる。
【００５５】
社会貢献度表示サーバ４２は、例えばＯＳ（オペレーティング・システム）、ＷＷＷサーバソフトウェア及び管理プログラムから構成されており、以下の機能を備えている。また、社会貢献度表示サーバ４２は、記憶装置７６と接続されて複数種類のデータを記録と抹消自在に多数個格納している。
【００５６】
（１）社会貢献度格納機能
社会貢献度格納手段６２が有する社会貢献度格納機能は、数値化された社会貢献度を記憶装置に格納する機能であるが、具体的には企業または個人の名称、所在地情報の他にこれらの企業等による社会貢献活動を数値化したものであり、福祉施設や教育機関や被災地や戦災地さらに開発地周辺に対する寄付金額や、またボランティア活動の種類数や参加回数、さらに参加人数、削減したエネルギー消費量、削減した有害物質の排出量、植林した本数、植林面積、送付した救援物資量などの数値化データを企業毎に記憶装置７６に格納する。付随して数値化されないテキスト情報もまた記録する。また、これらの外部から入力される数値化データの他にウェブページ上にリンク情報をともなった団体毎のバナー情報が表示され、そのバナーに対するアクセス数がアクセスカウンタ６６によって計数され、その計数値もまた社会貢献度格納手段６２によって記憶装置７６に格納される。
【００５７】
この時、より数値の格納を確実とするために、ウェブページで構成する場合は、予め具体的な項目名を列挙し、その項目に対応した入力ブランクを設け、その入力ブランクに各数値化データが入力されるように構成されることが望ましい。
【００５８】
（２）社会貢献度数値表現機能
社会貢献度数値表現手段６４が有する社会貢献度数値表現機能は、社会貢献度格納手段６２の格納した数値化データを、棒グラフ、円グラフ、イラストを用いた棒グラフで表示するための画像、映像データの生成機能である。さらに、各団体は、ウェブ上でリンク情報と一体化されたバナーデータを有しており、各数値化データ毎に数値化データの大きい順にバナーデータが順位表示される。ここで、アクセスカウンタ２０からの計数値が更新された場合は、その計数値の集計によってバナーデータの順位表示を変更する。また、各数値によっては具体的数値を掲載することもできる。
【００５９】
（３）表示機能
表示手段６８の有する表示機能は、社会貢献度表示ウェブページを表示させる機能であり、ＨＴＴＰに則り、クライアントソフトウェアのウェブブラウザに対して、ＨＴＭＬやオブジェクト（画像など）の表示を提供する機能を有する。特にオブジェクトとして、各団体のバナーデータの表示と、社会貢献度数値表現手段６４による画像データを表示する機能を有する。
【００６０】
（４）寄付金出金管理機能
寄付金出金管理手段７２の有する寄付金出金管理機能は、その後、社会貢献団体の要望により福祉施設や教育機関や被災地や戦災地さらに開発地周辺に寄付行為を行うとともに、被貢献団体の端末である被貢献者端末５６に寄付する旨を送信する
【００６１】
（５）決済情報受信機能
決済情報受信手段７４が有する決済情報受信機能は、入金情報とＩＤ番号情報を管理する決済サーバ６０に対してＩＤ番号で照会して入金情報を受信する機能と前記ＩＤ番号情報と入金情報を記憶装置７６に格納して管理する機能を有する。
【００６２】
ネットワーク４８は、コンピュータネットワークであり、専用回線やインターネットおよび公衆電話網やＩＳＤＮ（Ｉｎｔｅｇｒａｔｅｄ  Ｓｅｒｖｉｃｅｓ  Ｄｉｇｉｔａｌ  Ｎｅｔｗｏｒｋ，総合ディジタル通信網サービス）またはＮＧＮ（Ｎｅｘｔ  Ｇｅｎｅｒａｔｉｏｎ  Ｎｅｔｗｏｒｋ，次世代ネットワーク）から構成される。
【００６３】
個人端末４９は、社会貢献を目指す個人ユーザ使用する端末であって、ＩＢＭ（商標）ＰＣ／ＡＴ互換機または携帯端末または携帯電話等のインターネットに接続ができる端末であればいかなる端末でも良い。社会貢献度表示サーバ４２に接続して自らの貢献度を確認することができる。
【００６４】
一般端末５０は、任意の第三者の使用する端末であって、ＩＢＭ（商標）ＰＣ／ＡＴ互換機または携帯端末または携帯電話等のインターネットに接続ができる端末であればいかなる端末でも良い。
【００６５】
店舗端末５８は、入出金の可能なレジスタと一体型の端末であり、ネットワーク経由での決済を希望する一般ユーザからの現金を受領してＩＤ番号を発行し、ＩＤ番号情報と金額情報とを決済サーバ６０へ送信する機能を有する。
【００６６】
決済サーバ６０は、店舗端末５８からの通信を受けてＩＤ番号の発行と対応する入金情報を記録する機能と、契約している外部サーバからのＩＤ番号照会に対して入金情報を発信する機能を有する。
【００６７】
被貢献者端末５６は、福祉施設や教育機関や被災地や戦災地さらに開発地周辺やボランティア団体やＮＰＯ，ＮＧＯの端末であり、ＩＢＭ（商標）ＰＣ／ＡＴ互換機または携帯端末または携帯電話等のインターネットに接続ができる端末であればいかなる端末でも良い。
【００６８】
記憶装置７６は、社会貢献度表示サーバ４の記憶装置であり大容量のＨＤＤ（ＨＡＲＤ  ＤＩＳＫ  ＤＲＩＶＥ：エイチ・ディー・ディー）であることが望ましい。
【００６９】
次に、図４を用いて本発明に係る社会貢献度表示システム４０による社会貢献度表示方法のフローチャートについて説明する。
【００７０】
第一工程として、社会貢献を目指す個人が社会貢献用のＩＤ番号を発行する店舗において社会貢献として寄付する予定の金額を店舗に支払うことで店舗端末５８は、決済サーバへ照会してＩＤ番号が採番されて前記個人に対して発行される（ＳＢ２）。
【００７１】
第二工程として、前記個人によって入金された金額情報が店舗端末５８は、決済サーバ６０へ送信する（ＳＢ４）。
【００７２】
第三工程として個人端末４９は、社会貢献度表示サーバ４２に寄付の申し出信号とＩＤ番号情報を送信する（ＳＢ６）。
【００７３】
第四工程として、社会貢献度表示サーバ４２の決済情報受信手段７４は、決済サーバ６０へＩＤ情報について照会信号を送信する（ＳＢ８）。照会が取れない場合は、そこで、終了する。
【００７４】
第五工程として、前記照会が得られた場合は、個人端末４９からの寄付の申出信号を受け付けて社会貢献者個人として記憶装置７６にデータを格納する（ＳＢ１０）。
【００７５】
第六工程は、社会貢献度格納手段６２が個人端末４９から社会貢献度数値として寄付金額を入力し、社会貢献度格納手段６２が入力した社会貢献度数値データを記憶装置７６に格納する（ＳＢ１２）。
【００７６】
第七工程は、社会貢献度数値表現手段６４が入力された社会貢献度数値データから、棒グラフ、円グラフ、イラストを用いた棒グラフで表示するための画像、映像データの生成工程である（ＳＢ１４）。
【００７７】
第八工程は、表示手段６８が第七工程で生成された画像、映像データを社会貢献度表示ウェブページに表示させる工程である（ＳＢ１６）。例えば、東北の白神山地に植林する事業への貢献活動であれば、寄付金によって植林された現地をウェブカメラで定点観測として撮影し、貢献者のみが閲覧できるように、ウェブカメラの配置やソフトウェアの構成を行うこともできる。
【００７８】
第九工程は、社会貢献団体の要望により福祉施設や教育機関や被災地や戦災地さらに開発地周辺に寄付行為を行うとともに、被貢献団体の端末である被貢献者端末５６に寄付する旨を送信する（ＳＢ１８）。
【００７９】
以上のように実行することで、個人であっても容易に社会貢献となることが容易になり、自らの社会貢献度を積極的に外部にアピールが可能となる。
【図面の簡単な説明】
【００８０】
【図１】本発明に係る社会貢献度表示システム２の第一の実施例におけるブロックダイヤグラムを示す。
【図２】本発明に係る社会貢献度表示システム２による第一の実施例における社会貢献度表示方法のフローチャートを示す。
【図３】本発明に係る社会貢献度表示システム４０の第二の実施例におけるブロックダイヤグラムを示す。
【図４】本発明に係る社会貢献度表示システム４０による第二の実施例における社会貢献度表示方法のフローチャートを示す。
【符号の説明】
【００８１】
２  社会貢献度表示システム
４  社会貢献度表示サーバ
６  ネットワーク
８  個人端末
１０  表示情報手段（団体ウェブサーバ）
１２  団体端末
１４  被貢献者端末
１６  社会貢献度格納手段
１８  社会貢献度数値表現手段
２０  接続回数計数手段(アクセスカウンタ)
２２  表示手段
２４  寄付金額算出手段
２６  寄付金出金管理手段
４２  社会貢献度表示サーバ
４８  ネットワーク
５０  一般端末
５６  被貢献者端末
５８  店舗端末
６０  決済サーバ
６２  社会貢献度格納手段
６４  社会貢献度数値表現手段
６６  接続回数計数手段(アクセスカウンタ)
６８  表示手段
７２  寄付金出金管理手段
７４  決済情報受信手段
７６  記憶装置
【図１】
2009093566.tif 000003
【図２】
2009093566.tif 000004
【図３】
2009093566.tif 000005
【図４】
2009093566.tif 000006